(57)【特許請求の範囲】
【請求項１】
並設される浴槽と床パンと架台とを備えた浴室ユニットの施工方法であって、
前記浴槽は、ハンドレイアップ成形法により形成されて、槽底部と、前記槽底部の周囲より上側に向けて設けられる槽壁部と、前記槽壁部の上端部より外側に向けて設けられる平面視矩形状をした外周を有しこの外周の四辺のうち少なくとも二辺が前記床パンと隣接するフランジ部と、を備え、
前記床パンは、前記浴槽と隣接する少なくとも二辺に一体に起立するエプロン部を備え、前記エプロン部は、複数の開口を備え、
前記架台は、前記床パンが載置される床パン側架台と、前記床パン側架台と別体として前記浴槽が載置される浴槽側架台と、を備え、
前記浴槽側架台は、前記エプロン部と隣接する端部に、上方より高さ調節が可能な支持脚を備え、
前記浴槽が前記浴槽側架台に載置され、且つ、前記床パンが前記床パン側架台に載置された状態で、前記エプロン部に形成された前記開口より、前記支持脚の高さ調節が行われて、前記浴槽の前記床パンに対する高さを調節することを特徴とする浴室ユニットの施工方法。
【請求項２】
並設される浴槽と床パンと架台とを備えた浴室ユニットの接続構造であって、
前記浴槽は、ハンドレイアップ成形法により形成されて、槽底部と、前記槽底部の周囲より上側に向けて設けられる槽壁部と、前記槽壁部の上端部より外側に向けて設けられる平面視矩形状をした外周を有しこの外周の四辺のうち少なくとも二辺が前記床パンと隣接するフランジ部と、を備え、
前記床パンは、前記浴槽と隣接する少なくとも二辺に一体に起立するエプロン部を備え、前記エプロン部は、複数の開口を備え、
前記架台は、前記床パンが載置される床パン側架台と、前記床パン側架台と別体として前記浴槽が載置される浴槽側架台と、を備え、
前記浴槽側架台は、前記エプロン部と隣接する端部に、上方より高さ調節が可能な支持脚を備え、
前記支持脚は、前記浴槽の前記床パンに対する高さを調節可能なものであり、
前記開口は、当該開口を介して前記床パン側から施工者が前記支持脚の高さ調節を行うことが可能となるように設けられることを特徴とする浴室ユニットの接続構造。
【発明の詳細な説明】
【技術分野】
【０００１】
本発明は、浴室ユニットの施工方法及び浴室ユニットの接続構造
に関する。
【背景技術】
【０００２】
従来、並設される浴槽と床パンとエプロン部とを備えた浴室ユニットが知られている。
【０００３】
浴槽は、フランジ部より下側に向けて設けられる幕板状部を備えている。床パンと浴槽との隣接する辺にエプロン部を備えている。エプロン部は、下端部が床パンに取り付けられ、上端部が幕板状部に取り付けられる。そして、並設される浴槽および床パンは、建物のスラブ等の床に設置される架台により支持されている（例えば特許文献２の段落［００２２］〜［００２４］、図１、図２等参照）。
【０００４】
ところで、樹脂のプレス成形により形成される場合、成形品の寸法精度は高い。このため、プレス成形により形成された浴槽と床パンは、連結された時の寸法関係のばらつきが小さい。
【０００５】
しかしながら、浴槽が樹脂のハンドレイアップ成形法により形成されている場合、成形品としての浴槽の寸法精度がプレス成形による成形品よりも低いことがある。このため、ハンドレイアップ成形法により形成された浴槽が床パンと連結された場合、浴槽と床パンの寸法関係のばらつきから、架台上に載置される浴槽と床パンの高さが合わず、高さ調節が困難であった。
【先行技術文献】
【特許文献】
【０００６】
【特許文献１】特開２００７−１０２５１号公報
【発明の概要】
【発明が解決しようとする課題】
【０００７】
本発明は上記従来の問題点に鑑みて発明したものであって、その目的とするところは、床パンに対する浴槽の高さ調節が容易な浴室ユニットの施工方法を提供することにある。
【課題を解決するための手段】
【０００８】
本発明に係る発明は、並設される浴槽と床パンと架台とを備えた浴室ユニットの施工方法であって、前記浴槽は、ハンドレイアップ成形法により形成されて、槽底部と、前記槽底部の周囲より上側に向けて設けられる槽壁部と、前記槽壁部の上端部より外側に向けて設けられる平面視矩形状をした外周を有しこの外周の四辺のうち少なくとも二辺が前記床パンと隣接するフランジ部と、を備え、前記床パンは、前記浴槽と隣接する少なくとも二辺に一体に起立するエプロン部を備え、前記エプロン部は、複数の開口を備え、前記架台は、前記床パンが載置される床パン側架台と、前記床パン側架台と別体として前記浴槽が載置される浴槽側架台と、を備え、前記浴槽側架台は、前記エプロン部と隣接する端部に、上方より高さ調節が可能な支持脚を備え、前記浴槽が前記浴槽側架台に載置され、且つ、前記床パンが前記床パン側架台に載置された状態で、前記エプロン部に形成された前記開口より、前記支持脚の高さ調節が行われて、前記浴槽の前記床パンに対する高さを調節することを特徴とする。
【０００９】
また本発明に係る発明は、並設される浴槽と床パンと架台とを備えた浴室ユニットの接続構造であって、前記浴槽は、ハンドレイアップ成形法により形成されて、槽底部と、前記槽底部の周囲より上側に向けて設けられる槽壁部と、前記槽壁部の上端部より外側に向けて設けられる平面視矩形状をした外周を有しこの外周の四辺のうち少なくとも二辺が前記床パンと隣接するフランジ部と、を備え、前記床パンは、前記浴槽と隣接する少なくとも二辺に一体に起立するエプロン部を備え、前記エプロン部は、複数の開口を備え、前記架台は、前記床パンが載置される床パン側架台と、前記床パン側架台と別体として前記浴槽が載置される浴槽側架台と、を備え、前記浴槽側架台は、前記エプロン部と隣接する端部に、上方より高さ調節が可能な支持脚を備え、前記支持脚は、前記浴槽の前記床パンに対する高さを調節可能なものであり、前記開口は、当該開口を介して前記床パン側から施工者が前記支持脚の高さ調節を行うことが可能となるように設けられることを特徴とする。
【発明の効果】
【００１０】
本発明にあっては、開口を介して床パン側架台の支持脚の高さ調節が容易に行えるものである。
【図面の簡単な説明】
【００１１】
【図１】第一実施形態の浴室ユニットの一部切欠した斜視図である。
【図２】図２Ａは第一実施形態の浴室ユニットの平面断面図であり、図２Ｂは第一実施形態の浴室ユニットの側面図であり、図２Ｃは第一実施形態の浴室ユニットの別の側面図である。
【図３】図３Ａは第一実施形態の浴槽と床パンの分解斜視図であり、図３Ｂは第一実施形態の支持脚の上端部の斜視図である。
【図４】図４Ａは第一実施形態の床パンにおける一の上延出部およびエプロン部の拡大斜視図であり、図４Ｂは第一実施形態の床パンにおける他の上延出部およびエプロン部の拡大斜視図であり、図４Ａは第一実施形態の床パンにおける一の上延出部およびエプロン部の止水材溜まりが設けられた状態の拡大斜視図である。
【図５】図５Ａは第一実施形態の浴槽の平面図であり、図５Ｂは第一実施形態の浴槽の側面図であり、図５Ｃは第一実施形態の浴槽の別の側面図であり、図５Ｄは図５ＡのＣ−Ｃ断面図であり、図５Ｅは図５ＡのＤ−Ｄ断面図である。
【図６】第一実施形態の床パンの斜視図である。
【図７】図７Ａは第一実施形態の浴槽と床パンの連結部の一部拡大断面図の一例であり、図７Ｂは第一実施形態の浴槽と床パンの連結部の一部拡大断面図の他例である。
【図８】第一実施形態の浴槽と床パンの連結部の一部正面図である。
【図９】第二実施形態の浴槽と床パンの斜視図である。
【図１０】第二実施形態の浴槽と床パンの分解斜視図である。
【図１１】第三実施形態の浴槽と床パンの斜視図である。
【図１２】第三実施形態の浴槽と床パンの分解斜視図である。
【発明を実施するための形態】
【００１２】
本発明の第一実施形態について図１〜図６に基いて説明する。第一実施形態の浴槽は、浴室に設けられ、主に介護のために用いられる浴槽であるが、特に介護用でなくてもよく、用途は限定されない。
【００１３】
第一実施形態では、浴室は、図１、図２に示す浴室ユニット５により構成される。浴室ユニット５は、図２に示すように、並設される浴槽１と床パン３と架台８と、正面視矩形状をした壁パネル５１と、平面視矩形状をした天井パネル５２とを備えている。壁パネル５１の内側の面が浴室の壁面５１ａとなる。
【００１４】
床パン３は、床パン側架台８１に支持される。床パン側架台８１は、平面視における外郭が床パン３の平面視における外郭に沿う外枠と、外枠間に設けられる中間枠と備えているが、このような形態に限定されない。床パン側架台８１は、建物のスラブ等の床に設置される、アジャスターボルトからなる支持脚９に支持される。支持脚９は、床パン側架台８１の外枠と中間枠に複数設けられている。床パン３は、図３Ａに示すように、平面部３０と、平面部３０の周縁に設けられる立ち上がり部３３とを備えている。浴室ユニット５は、図２Ａに示すように平面視矩形状をしたものであるが、床パン３の平面部３０は、図３Ａに示すように、洗い場となる部分を残し、浴槽１が配置される部分に切欠３１を有している。第一実施形態では、図１、図２に示すように、浴槽１の隣接する二つの辺が二つの壁面５１ａに沿って配置されるように、床パン３が平面視Ｌ字状をしている。
【００１５】
図１に示すように、平面部３０には、排水部３２となる凹所が形成されている。平面部３０の周縁に設けられる立ち上がり部３３は、壁パネル５１の載置部となるものである。立ち上がり部３３は、図４Ａ、図４Ｂに示すように、平面部３０の周縁から起立する起立部３４と、起立部３４の上端から外側に連設される中片部３５と、中片部３５の外端縁から上方に起立する外片部３６と、を備えている。
【００１６】
図３Ａに示すように、平面部３０の浴槽１が設けられる切欠３１に面する辺、すなわち浴槽１と隣接する辺（これを第一の辺３０ａとする）に、エプロン部４が設けられる。エプロン部４は、平面部３０の浴槽１と隣接する辺より一体に起立している。エプロン部４は、エプロン本体部４０と、エプロン本体部４０の上端部に設けられる被連結部４３（後述する）とを備える。平面部３０、立ち上がり部３３（起立部３４、中片部３５、外片部３６を含む）、エプロン部４、後述する上延出部３７は、合成樹脂で一体に成形される。エプロン部４には、メンテナンス等のための開口４１が形成され、開口４１には開口蓋４２（図１参照）が開閉可能に設けられる。なお、開口４１の数は、第一実施形態では、三つであるが、四つや五つ等、その数は二つ以上であれば特に限定されない。
【００１７】
浴槽１は、図５に示すように、槽底部１１と、槽底部１１の周縁部より上側に向けて設けられる槽壁部１２と、槽壁部１２の上端部より外側に向けて設けられる平面視矩形状をした外周を有するフランジ部１３と、を備えている。フランジ部１３の外端縁から、幕板状部１４が下方に向けて設けられている。なお、幕板状部１４は、フランジ部１３の溝壁部２１（後述する）が設けられる辺には設けられない。
【００１８】
浴槽１は、図３Ａに示すように、浴槽側架台８２に支持される。浴槽側架台８２は、平面視における外郭が浴槽１の平面視における外郭に沿う外枠と、外枠間に設けられる中間枠と備えているが、このような形態に限定されない。浴槽側架台８２は、床パン３を支持する床パン側架台８１と同様に支持脚９に支持される。支持脚９は、床パン側架台８１の外枠と中間枠に複数設けられている。支持脚９には、上端部にマイナスドライバー等の工具が挿入可能な上溝９１が形成されている。これにより、上方より工具を上溝９１に挿入して、上方から、床パン側架台８１の高さ調節が可能となっている。なお、このように上方より高さ調節が可能な支持脚９は、少なくとも浴槽側架台８２のエプロン部４と隣接する端部に設けられていればよく、その他の部分には上方より高さ調節が可能な支持脚９が設けられなくてもよい。
【００１９】
浴槽１は、樹脂のプレス成形ではなく、所謂ハンドレイアップ成形法により形成されるものである。ハンドレイアップ成形法は、主にＦＲＰ（Fiber Reinforced Plastic）を成形するもので、ガラス繊維等に樹脂をa含浸させた樹脂層を、脱泡等を行いながら人手によって積層させ、加圧や加熱を行って成形品を形成するものである。ハンドレイアップ成形法にあっては、設備が少なくてすみ、複雑な形状の成形品が形成可能である一方、寸法精度を向上させることが難しいという欠点がある。なお、ハンドレイアップ成形法は公知の既存の技術であって、適宜利用可能であり、詳細な説明は省略する。
【００２０】
浴槽１は、図４Ａ、図４Ｂに示すように、幕板状部１４がエプロン部４の被連結部４３に載置されて、図１に示すように床パン３と連結される。被連結部４３は、下横部４４と、縦部４５と、上横部４６と、を備える。
【００２１】
下横部４４は、上方を向く面を有するもので、エプロン本体部４０から浴槽１側に向けて設けられる。第一実施形態では、下横部４４の長さ（浴槽１の内外方向長さ）は３ｍｍであるが、１ｍｍ〜１０ｍｍの範囲や、あるいは前記範囲外であってもよい。
【００２２】
縦部４５は、外方を向く面を有するもので、下横部４４のエプロン本体部４０の位置より浴槽１側に位置する部分から上側に向けて設けられる。第一実施形態では、縦部４５の長さ（上下長さ）は２０ｍｍであるが、５ｍｍ〜５０ｍｍの範囲や、あるいは前記範囲外であってもよい。
【００２３】
上横部４６は、後述する第二の止水材６２の載置面となる、上方を向く面を有するもので、縦部４５の下横部４４の位置より上側に位置する部分から浴槽１側に向けて設けられる。第一実施形態では、上横部４６の長さ（浴槽１の内外方向長さ）は１０ｍｍであるが、３ｍｍ〜３０ｍｍの範囲や、あるいは前記範囲外であってもよい。
【００２４】
なお、被連結部４３は第一実施形態のような形状に限定されず、例えばブロック状をした塊の側面が縦部４５となるとともに上面が上横部４６となってもよい。
【００２５】
そして、幕板状部１４の下面が下横部４４の上面に当接または近接した状態で、浴槽１が床パン３に取り付けられる。ここで、幕板状部１４の下面が下横部４４の上面に近接した状態とは、０．１ｍｍ未満〜数ｃｍ程度（好ましくは１ｍｍ未満）であるが、特に限定されない。
【００２６】
また、第一実施形態では、図１に示すように、床パン３の中片部３５に壁パネル５１が載置されるとともに、浴槽１の壁面５１ａに沿う辺に壁パネル５１が載置され（後述する）、壁面５１ａが隙間なく構成される。また、浴槽１には、壁面５１ａに沿う辺のフランジ部１３に、溝部２が設けられる。なお、溝部２は任意の構成であり、設けられなくてもよい。
【００２７】
溝部２は、図１、図３Ａ、図５に示すように、壁面５１ａに沿う辺を長手方向とし、所定の幅を有する、上方に開口するもので、この辺に沿うフランジ部１３全長に亘って設けられている。溝部２は、フランジ部１３の外端縁から下方に向けて設けられる内側の溝壁部２１と、溝壁部２１の下端から外側に連設される溝底部２２と、溝底部２２の外端縁から上方に起立する外側の溝壁部２３と、により形成される。また、図４Ａ、図５Ａに示すように、内側の溝壁部２１と溝底部２２と外側の溝壁部２３は、溝部２の長手方向の端部において、溝部２の外方に連設する外片部２７を備えている。そして、幕板状部１４がエプロン部４の被連結部４３に載置されるのと同様に、溝部２においては、外片部２７がエプロン部４の被連結部４３に載置、嵌合されることで、床パン３と連結される。
【００２８】
また、外側の溝壁部２３の上端部には、図３Ａ、図５に示すように、壁面５１ａ（壁パネル５１）と連結される壁連結部２４が設けられる。
【００２９】
壁連結部２４は、図５Ａに示すように、外側の溝壁部２３の上端部から外側に連設される中片部２５と、中片部２５の外端縁から上方に起立する外片部２６と、を備える。そして、床パン３の中片部３５に壁パネル５１が載置されるのと同様に、中片部２５に壁パネル５１が載置される。これにより、床パン３と浴槽１に壁パネル５１が載置される。
【００３０】
また、第一実施形態では、床パン３は、図３Ａに示すように、平面部３０の周縁における切欠３１に隣接する部分に、上延出部３７が設けられている。上延出部３７は、図３Ａ、図４に示すように、平面部３０の第一の辺３０ａに隣接し且つ浴槽１と隣接しない辺（これを第二の辺３０ｂとする）において、平面部３０から一体に起立され、対向するエプロン部４よりも上側にまで延びる。上延出部３７の上端は、床パン３に載置された浴槽１の壁連結部２４と略同じ高さまで形成される。上延出部３７の側辺および上辺には、立ち上がり部３３の中片部３５および浴槽１の中片部２５と連続する中片部３８と、立ち上がり部３３の外片部３６および浴槽１の外片部２６と連続する外片部３９と、を備えており、壁パネル５１が、立ち上がり部３３および浴槽１に載置されるのと同様に載置される。なお、上延出部３７は任意の構成であり、設けられなくてもよい。
【００３１】
第一実施形態では、エプロン部４は、平面部３０の第一の辺３０ａにおいて第二の辺３０ｂ側の端部の上延出部３７の側端面の裏側にまで形成されている。そして、上延出部３７の側端に浴槽１の外側の溝壁部２３が当接する。これにより、浴槽１のずれ（移動）を上延出部３７が規制することとなり、上延出部３７が規制部（ストッパー）として機能する。
【００３２】
浴槽１は、上述したように、図３Ａに示すように上方より被連結部４３に幕板状部１４および外片部２７が載置されて、図５に示すように床パン３の所定の位置に設置され、図６に示すように開口４１に開口蓋４２が装着されて、連結がなされる。その後、壁パネル５１が載置され、天井パネル５２が載置されて、浴室ユニット５が構成される。
【００３３】
このときの浴槽１の床パン３に対する高さ調節について説明する。浴槽１が浴槽側架台８２に載置され、且つ、床パン３が床パン側架台８１に載置された状態で、施工者が、床パン３に乗る。施工者は、開口４１に手や上半身や場合によっては略全身を挿し入れ、床パン側架台８１の支持脚９の高さ調節を行う。これにより、施工者は、容易に、床パン側架台８１および浴槽１の床パン３に対する高さを調節することができる。
【００３４】
浴槽１は、幕板状部１４の下面が下横部４４の上面に当接または近接した状態で、床パン３に取り付けられる。このとき、幕板状部１４と下横部４４との間に、第一の止水材６１が設けられる。さらに説明を加えると、幕板状部１４の下面が下横部４４の上面に当接する場合には、幕板状部１４の下端部および下横部４４の上端部の外面に亘って、第一の止水材６１が設けられる。また、幕板状部１４の下面が下横部４４の上面に近接する場合には、幕板状部１４の下面と下横部４４の上面との間に、第一の止水材６１が設けられる。
【００３５】
第一の止水材６１としては、パッキンやコーキング材（特にシリコンコーキング）が好適に用いられるが、特に限定されない。止水材は通常は隙間の形状に沿えるように変形性を有しているが、第一の止水材６１としても変形性が大きいものが好ましい。
【００３６】
さらに、フランジ部１３の下面と上横部４６の上面との間に、第二の止水材６２が設けられる。第二の止水材６２としては、パッキンが用いられ、パッキンの種類は特に限定されない。第二の止水材６２としても変形性が大きいものが好ましい。なお、第二の止水材６２は、幕板状部１４と縦部４５との間に設けられてもよいが、この場合には、浴槽１とエプロン部４が連結される際に、幕板状部１４と縦部４５との相対移動により第二の止水材６２が捻れたり脱落したりする惧れがある。このため、第二の止水材６２は、フランジ部１３と上横部４６との間に設けられる方がよい。
【００３７】
上述したように、浴槽１はハンドレイアップ成形法により形成されており、プレス成形による成形品よりも寸法精度が低い。このため、浴槽１が床パン３と連結された場合、浴槽と床パンの寸法関係のばらつきが生じ易くなる。そこで、幕板状部１４と下横部４４との間に、第一の止水材６１が設けられ、フランジ部１３と上横部４６との間に、第二の止水材６２が設けられる。これにより、幕板状部１４と下横部４４との間の距離、およびフランジ部１３と上横部４６との間の距離がばらついても、第一の止水材６１および第二の止水材６２がばらつきを吸収し、止水性能が低下するのが抑制される。
【００３８】
また、第一実施形態では、縦部４５の長さが２０ｍｍであり、第二の止水材６２は縦部４５の上の上横部４６に設けられている。このため、万一、第一の止水材６１の一部が高圧洗浄機から高速で噴射された水等により破損して、破損した箇所から水が進入しても、第二の止水材６２にまでは水が到達し難くなっている。
【００３９】
また、第一実施形態では、図４Ａおよび図４Ｂに示すように、縦部４５の上延出部３７に対向する部分に、浴槽１側に凹む溜まり凹所４７を備えている。溜まり凹所４７には、図４Ｃに示すように、第一の止水材６１が溜まって止水材溜まり６１ａが形成されるものである。上述したように、エプロン部４は、第一の辺３０ａにおいて端部の上延出部３７の側端面の裏側にまで形成されており、上延出部３７は、対向するエプロン部４よりも上側にまで延びている。このため、作業者が、上横部４６の上面に第二の止水材６２を設ける際に、上延出部３７が邪魔になって上延出部３７の裏側が見え難く、この部分に第二の止水材６２を設けるのを失念する惧れがある。そこで、万一、上横部４６の上面に第二の止水材６２を設けるのが失念された場合、止水材溜まり６１ａにより、第一の止水材６１による止水性能を向上させることができる。
【００４０】
また、図８に示すように、上延出部３７と浴槽１の溝壁部２３との間には、止水材５３が設けられる。止水材５３としては、パッキンやコーキング材（特にシリコンコーキング）が好適に用いられるが、特に限定されない。
【００４１】
また、第一実施形態では、図７に示すように、エプロン部４の浴槽１側の面に補強材７を備えている。補強材７は、エプロン押さえ部７１と、浴槽押さえ部７３と、接続部７２と、備えている。エプロン押さえ部７１は、エプロン本体部４０と縦部４５の少なくとも一方の浴槽１側の面に設けられる。浴槽押さえ部７３は、槽壁部１２に当接または近接して設けられるもので、槽壁部１２の上部（上方へ行く程よい）に設けられる。接続部７２は、エプロン押さえ部７１と浴槽押さえ部７３とを接続する。
【００４２】
補強材７は、エプロン部４を補強するもので、剛性および強度を向上させる。補強材７としては、鉄系の材料（ＳＵＳや鋼）をはじめ、その他の金属（合金を含む）、複合材等、特に限定されない。補強材７により補強されたエプロン部４は、剛性が向上し、外面に衝撃力が加わっても、エプロン部４が撓んで破損したりし難くなる。
【００４３】
第一実施形態ではさらに、槽壁部１２と浴槽押さえ部７３との間に、緩衝部材６４を備えている。緩衝部材６４は、ゴムやウレタンをはじめとする、衝撃を吸収し音の発生を低減する作用を有する部材により構成される。これにより、補強材７の浴槽押さえ部７３と槽壁部１２とが衝突して、衝撃や音が発生するのが抑制される。
【００４４】
第一実施形態ではさらに、槽壁部１２に補強材受け部１２ａが設けられる。補強材受け部１２ａは、横桟状のもので、槽壁部１２の幅方向の全長に亘って、または、部分的に複数設けられる。第一実施形態では、補強材受け部１２ａは、発泡材からなる合成木で形成されており、接着剤が付き易いという利点がある。なお、補強材受け部１２ａがゴム等をはじめとする他の材質で形成されてもよい。緩衝部材６４は、図７Ａに示すように補強材受け部１２ａに設けられてもよいし、図７Ｂに示すように浴槽押さえ部７３に設けられてもよい。また、補強材受け部１２ａではなく槽壁部１２に直接設けられてもよい。
【００４５】
第一実施形態の浴槽１は、フランジ部１３の外周の二辺に、壁面５１ａと連結される壁連結部２４を備えている。
【００４６】
なお、介護者が被介護者を浴槽１外から浴槽１内へ移動させて入浴させる作業のし易さの観点では、フランジ部１３の外周の四辺全周が開放されるのが最適となる。しかしながら、この場合、浴槽１が壁面５１ａに全く固定されず、安定しなくなる。すなわち、浴槽１が大量の湯を貯留し、被介護者や介護者が出入りする場合、浴槽１に側方への力がかかったりすると、浴槽１が振動したりして安定せず、好ましくない。このため、第一実施形態においては、フランジ部１３の外周の少なくとも一辺が壁面５１ａに連結されるようにしている。さらに第一実施形態においては、フランジ部１３の外周の壁面５１ａに沿わない辺においても、床パン３に一体に形成されるエプロン部４に連結されるため、浴槽１の床パン３への固定が強固になされ、より一層安定する。
【００４７】
第一実施形態の浴槽１は、図１に示すように、壁面５１ａに連結される辺に沿うフランジ部１３に、所定の幅を有する溝部２を有するものであり、以下に説明する。
【００４８】
所定の幅は、第一実施形態では図１に示すように、１５０ｍｍとしている。溝部２を設ける第一の目的は、被介護者が、浴槽１内で立ち上がる時にフランジ部１３に手を置き、フランジ部１３の外周から下方に指先を伸ばし易いように、壁面５１ａとの間に指が挿入される隙間を確保するためである。この第一の目的においては、隙間（溝部２）は、指が余裕をもって挿入可能な幅を有するとともに、腕が奥深く挿入されないことが好ましい。このため、溝部２の深さが、指や腕が奥深く挿入されない深さとしている。第一実施形態では溝部２の深さが１００ｍｍとなるように溝底部２２が設けられているが、深さは５０〜１５０ｍｍ等、特に限定されない。
【００４９】
なお、フランジ部１３の幅は、第一実施形態では、被介護者がフランジ部１３に手を置き、フランジ部１３を挟み易いように６０ｍｍとしてあるが、特に限定されない。
【００５０】
また、溝部２を設ける第二の目的は、被介護者が、浴槽１内で立ち上がる時に手で壁面５１ａに沿うフランジ部１３に手を置いてフランジ部１３を挟んだ時に、被介護者の頭部が壁面５１ａに衝突し難くする隙間を確保するためである。この第二の目的においては、隙間の幅が大きい程好ましいが、隙間が大きすぎると浴室における有効スペースが減少するため、その兼ね合いにより設計がなされる。第一実施形態では、隙間の幅は上記１５０ｍｍであり、数値範囲は特に限定されないが、１００ｍｍ以上であることが好ましい。
【００５１】
なお、フランジ部１３に手を置いて立ち上がる時に、フランジ部１３を手で挟んだり、掴んだりしてもよいが、特に挟んだりせずに、手のひらをフランジ部１３に押し当てる動作で立ち上がってもよい。
【００５２】
また、第一実施形態では、槽壁部１２の外面のフランジ部１３の上面から下方に所定の距離内に、凹凸部１５を備えている。凹凸部１５は、他の部分と感触を異ならしめ、被介護者がフランジ部１３の外周から下方に指先を伸ばしフランジ部１３を挟んだ時に、フランジ部１３を挟んでいることを認識するためのものである。これにより、立ち上り動作を行なう際に、力をかけている部分をより意識することができるようになる。第一実施形態では、凹凸部１５として、図４Ａ、図５Ａ等に示ように、槽壁部１２の外面（幕板状部１４）に、フランジ部１３の上面から所定の距離として５０ｍｍ程度の範囲内で形成されている、深さ０．３ｍｍ、５ｍｍピッチの溝であるが、特に数値や溝に限定されない。第一実施形態では、槽壁部１２の外面全周に凹凸部１５が形成されているが、全周に形成されていなくてもよい。
【００５３】
また、第一実施形態では、平面部３０からの浴槽１の跨ぎ高さが４００ｍｍとなるように形成されている。また、槽底部１１の上面からフランジ部１３の上面までの高さが５００ｍｍとなるように形成されている。
【００５４】
また、第一実施形態では、浴槽１の槽壁部１２が垂直に近くなるように（槽壁部１２の内面の法線が水平より１°〜３°上方を向く角度）形成されている。これにより、被介護者が槽壁部１２の内面に凭れたときに、下方へ滑ってしまうのが抑制される。また、浴槽１の長手方向における槽壁部１２の内面の対向距離が９００ｍｍと短く形成されているため、万一、被介護者が槽壁部１２の内面に凭れて下方へ滑っても、頭部が水面下に沈むのが抑制される。
【００５５】
なお、第一実施形態における浴室内の配置は図２Ａに示すような配置であるが、他例として左右反転した浴槽１、浴室でもよい。さらに、図２Ａに示す浴槽１、浴室と、他例として左右反転した浴槽１、浴室とを合わせて製造してもよく、この場合、これらの浴室を連結するとともに連通口を間に形成することで、二連の浴室として介護がし易いものとすることができる。
【００５６】
次に、第二実施形態について図９、図１０に基いて説明する。なお、第一実施形態と大部分において同じであるため、同じ部分については同符号を付して説明を省略し、異なる部分について説明する。
【００５７】
上記第一実施形態では、浴槽１は、フランジ部１３の外周の二辺に壁連結部２４を備え、これら二辺が壁面５１ａに連結されている。これに対して第二実施形態では、フランジ部１３の外周の一辺に壁連結部２４を備え、この一辺のみが壁面５１ａに連結されており、残りの三辺は開放されている。これにより、フランジ部１３の二辺が壁面５１ａに連結される場合と比較して、介護作業がし易いものである。
【００５８】
次に、第三実施形態について図１１、図１２に基いて説明する。なお、第一実施形態と大部分において同じであるため、同じ部分については同符号を付して説明を省略し、異なる部分について説明する。
【００５９】
上記第一実施形態では、浴槽１は、フランジ部１３の外周の二辺に壁連結部２４を備え、これら二辺が壁面５１ａに連結されている。これに対して第三実施形態では、フランジ部１３の外周の三辺に壁連結部２４を備え、この三辺がいずれも壁面５１ａに連結されており、残りの一辺は開放されている。これにより、フランジ部の三辺が壁面に連結される従来例と比較して、被介護者がフランジ部の外周から下方に指先を伸ばし易いものである。
【００６０】
介護者が被介護者を介護する場合に、介護者は、浴室外から浴室内へ被介護者を移動させ、さらに浴槽１外から浴槽１内に移動させて入浴させる。その後、介護者は、被介護者を浴槽１内から浴槽１外に移動させ、さらに浴室内から浴室外に移動させる。これにあたり、フランジ部１３の外周の一辺または二辺が壁面５１ａに連結され、フランジ部１３の外周の残りの二辺または三辺が開放されるようにすることで、作業のし易さをより確保することもできる。
【符号の説明】
【００６１】
１          浴槽
１１      槽底部
１２      槽壁部
１３      フランジ部
３          床パン
４          エプロン部
４１      開口
８          架台
８１      床パン側架台
８２      浴槽側架台
９          支持脚
【図１】
0006548106.tif 000002
【図２】
0006548106.tif 000003
【図３】
0006548106.tif 000004
【図４】
0006548106.tif 000005
【図５】
0006548106.tif 000006
【図６】
0006548106.tif 000007
【図７】
0006548106.tif 000008
【図８】
0006548106.tif 000009
【図９】
0006548106.tif 000010
【図１０】
0006548106.tif 000011
【図１１】
0006548106.tif 000012
【図１２】
0006548106.tif 000013